(57)【特許請求の範囲】
【請求項１】
化粧用組成物を格納する化粧品用容器であって、
水素不透過材で形成された容器本体と、
少なくとも一部が水素透過性シートで形成され、水素ガスが封入された複数の水素格納部を備え、
前記水素透過性シートが水素ガスを透過する水素透過率は、複数の前記水素格納部において異なるように構成されており、
複数の前記水素格納部の前記水素透過性シートが前記容器本体に格納された前記化粧用組成物と接触するように構成されている、化粧品用容器。
【請求項２】
一部の前記水素格納部の前記水素透過性シートの水素透過率は、他の前記水素格納部の前記水素透過性シートよりも低く規定されている、
請求項１に記載の化粧品用容器。
【請求項３】
前記水素透過率が相対的に高い前記水素透過性シートには、相対的に少量の水素ガスが封入されており、
前記水素透過率が相対的に低い前記水素透過性シートには、相対的に多量の水素ガスが封入されている、
請求項２に記載の化粧品用容器。
【請求項４】
前記化粧品用容器には、一または複数のフェイスマスクが格納されている、
請求項１乃至請求項３のいずれかに記載の化粧品用容器。
【請求項５】
前記水素格納部は、扁平な形状に形成されており、前記フェイスマスクの主面と前記水素格納部の主面が対面するように配置されている、
請求項４に記載の化粧品用容器。
【発明の詳細な説明】
【技術分野】
【０００１】
本発明は化粧品用容器に関する。
【背景技術】
【０００２】
従来、化粧用ローション等の化粧用組成物を含浸させた基材シートで形成されている顔用のフェイスマスクが、美容に使用されてきた（例えば、特許文献１）。【０００３】
そして、化粧用組成物に水素を含ませることよって、美容効果が向上することが知られている。
【先行技術文献】
【特許文献】
【０００４】
【特許文献１】特開平９−３１３２４８号公報
【発明の概要】
【発明が解決しようとする課題】
【０００５】
化粧用組成物を水素不透過材としてのアルミニウム製のパッケージに密封した場合であっても、水素は徐々に抜けていくという問題がある。【０００６】
本発明は、上記を踏まえて、化粧用組成物に水素を溶存させ、かつ、水素を溶存させた状態を長期間維持することができる化粧品用容器を提供するものである。
【課題を解決するための手段】
【０００７】
第一の発明は、化粧用組成物を格納する化粧品用容器であって、水素不透過材で形成された容器本体と、少なくとも一部が水素透過性シートで形成され、水素ガスが封入された複数の水素格納部を備え、前記水素透過性シートが水素ガスを透過する水素透過率は、複数の前記水素格納部において異なるように構成されており、複数の前記水素格納部の前記水素透過性シートが前記容器本体に格納された前記化粧用組成物と接触するように構成されている、化粧品用容器である。【０００８】
化粧用組成物に水素を長期間溶存させるためには、水素格納部から水素ガスを微量ずつ透過させればよいのであるが、あまりにも微量であると、使用者が化粧用組成物を使用するときに、化粧用組成物に含有される水素の量が不十分である場合がある。この点、本発明の発明者は、化粧用組成物に相当量の水素を比較的早期に含有させるための構成と、含有させた水素の量を維持する構成に想到した。第一の発明の構成によれば、複数の水素格納部の間において水素透過率が異なるから、一部の水素格納部から水素ガスが排出され尽くした後においても、他の水素格納部からの水素ガスの排出は継続し、水素ガスの化粧用組成物への溶け込みを継続する。すなわち、水素ガスが化粧用組成物に比較的早期に相当量溶け込み、その後、水素ガスが化粧用組成物から抜け出たとしても、新たな水素ガスが継続的に化粧用組成物に溶け込む。これにより、化粧用組成物に水素を溶存させた状態を長期間維持することができる。【０００９】
第二の発明は、第一の発明の構成において、一部の前記水素格納部の前記水素透過性シートの水素透過率は、他の前記水素格納部の前記水素透過性シートよりも低く規定されている、化粧品用容器である。【００１０】
第三の発明は、第二の発明の構成において、前記水素透過率が相対的に高い前記水素透過性シートには、相対的に少量の水素ガスが封入されており、前記水素透過率が相対的に低い前記水素透過性シートには、相対的に多量の水素ガスが封入されている、化粧品用容器である。【００１１】
第四の発明は第一の発明乃至第三の発明のいずれかの構成において、前記化粧品用容器には、一または複数のフェイスマスクが格納されている、化粧品用容器である。【００１２】
第五の発明は、第四の発明の構成において、前記水素格納部は、扁平な形状に形成されており、前記フェイスマスクの主面と前記水素格納部の主面が対面するように配置されている、化粧品用容器である。
【発明の効果】
【００１３】
本発明にかかる化粧品用容器によれば、化粧用組成物に水素を溶存させ、かつ、水素を溶存させた状態を長期間維持することができる化粧品用容器を提供することができる。
【図面の簡単な説明】
【００１４】
【図１】本発明の一実施形態にかかるフェイスマスクの概略平面図である。
【図２】本発明の一実施形態にかかる化粧品用容器の概略斜視図である。
【図３】水素格納部の壁を水素が透過する様子を示す概念図である。
【図４】水素格納部の水素量を示す概念図である。
【図５】化粧用組成物中の水素含有量を示す概念図である。
【図６】本発明の第二の実施形態にかかる化粧品用容器の概略斜視図である。
【図７】水素格納部の水素量を示す概念図である。
【図８】化粧用組成物中の水素含有量を示す概念図である。
【図９】本発明の第三の実施形態にかかる水素格納部の概略斜視図である。
【図１０】本発明の第三の実施形態にかかる化粧品用容器の概略側面図である。
【発明を実施するための形態】
【００１５】
＜第一の実施形態＞
以下、図面に基づき本発明の好適な実施形態を説明する。なお、当業者が適宜実施できる構成については説明を省略し、本発明の基本的な構成についてのみ説明する。本明細書において、化粧用組成物とは、コロイド溶液を含む液体の化粧料を言い、具体的には美容液及び化粧液をはじめ歯磨剤、浴用剤などを含む。
【００１６】
図１に示すように、フェイスマスク１は、基材シート２で構成されている。基材シート２は、例えば、不織布で形成されている。不織布の材質は、例えば、キュプラ、レーヨン、ポリエチレン、ポリビニルアルコール等である。基材シート２には、化粧用組成物が含侵される。
【００１７】
基材シート２は、使用者の顔の全体を好適に覆うように構成されている。そのために、基材シート２は、使用者の顔面形状に基材シート２を合わせるための切込み４ａ，４ｂ，４ｃ，４ｄ，４ｅ及び４ｆが形成されている。また、基材シート２には、使用者の目を露出させるための眼用開口部６ａ及び６ｂ、口を露出させるための口用開口部１０が形成されている。さらに、基材シート２には、使用者の鼻の形状に合わせるための鼻部用スリット８が形成されている。
【００１８】
図２に示すように、化粧品用容器２０（以下、「容器２０」という。）の最外層は容器本体２０ａとなっている。容器本体２０ａは、水素不透過材で形成されている。水素不透過材とは、例えばレトルトパウチに使用される軟質の積層シートが該当し、外層にポリエステル（ＰＥＴ）、中間層にアルミ箔、内層に無延伸ポリプロピレン（ＣＰＰ）を用いて積層加工を行って製作する。容器本体２０ａには、フェイスマスク１を取り出すための切り欠き用部２０ｂが形成されている。切り欠き用部２０ｂを切り欠くことで、内部のフェイスマスク１を取り出すようになっている。
【００１９】
容器本体２０ａには、化粧用組成物２２が格納されている。化粧用組成物２２の主成分は水分であり、さらに、以下の美容成分のうち少なくともいずれか一つを含む。美容成分は、例えば、ヒトオリゴペプチド−１、ヒトオリゴペプチド−１３、アセチルヘキサペプチド−８、パルミトイルペンタペプチド−４、水溶性コラーゲン、加水分解コラーゲン、サクシノイルアテロコラーゲン、リン酸アスコルビルＭｇ、サッカロミセス（黒砂糖、プラセンタエキス）発酵液、ヒアルロン酸Ｎａ、アセチルヒアルロン酸Ｎａ、ヒアルロン酸クロスポリマーＮａ、セレブロシド、アルブチン、アスパラギン酸Ｍｇ、グリチルリチン酸２Ｋ、グルコン酸銅、グルコン酸亜鉛、プラセンタエキス、サイタイエキス、水溶性プロテオグリカン、白金、酒粕エキス、イワベンケイ根エキス、リンゴ果実培養細胞エキス、ビタミンＡ油、トコフェロール、サッカロミセスセレビシアエエキス、セレブロシド、ＰＣＡ−Ｎａ、ナットウガム、アボカド油、カニナバラ果実油、アンズ核油、ヒマワリ種子油、ジラウロイルグルタミン酸リシンＮａ、アミノカプロン酸、ベタインである。
【００２０】
また、容器本体２０ａの内部には、水素格納部３０及び３２が備えられている。水素格納部３０及び３２は、少なくとも一部が水素透過性シートで形成され、水素ガスが封入されている。水素格納部３０及び３２において、少なくとも一部の面は水素透過性シートで構成されている。本実施形態において、水素格納部３０及び３２の一つの面が水素透過性シート３０ａ及び３２ａとなっている。水素透過性シートとは、水素がそのシートを一定の割合で透過するシートをいい、通常のビニールシートが該当する。水素が透過する程度（水素透過率）については、シートを構成する材料により調整可能である。例えばシリカを混入すると、透過する水素の割合は減少する。
【００２１】
水素格納部３０と３２において、水素透過率は異なるように構成されている。水素格納部３０の水素透過性シート３０ａの水素透過率は水素格納部３２の水素透過性シート３２ａの水素透過率よりも大きい。水素格納部３０及び３２の水素透過性シート３０ａ及び３２ａが化粧用組成物２２と接触するように構成されており、水素透過性シート３０ａ及び３２ａを透過した水素が化粧用組成物２２に溶け込むようになっている。
【００２２】
図３に示すように、水素格納部３０及び３２から水素が徐々に排出されて化粧用組成物２２に溶け込む。図３（ａ）に示すように、水素格納部３０の内部に封入された水素ガスが、矢印Ｘ１に示すように、水素透過性シート３０ａを透過する。同様に、図３（ｂ）に示すように、水素格納部３２の内部に封入された水素ガスが、矢印Ｘ１に示すように、水素透過性シート３２ａを透過する。水素透過性シート３２ａは、水素透過性シート３０ａと同一の組成であるが、２倍の厚さであり、水素透過率は低く、例えば、水素透過率は水素透過性シート３０ａの約５０％（パーセント）である。あるいは、図３（ｃ）に示すように、水素透過性シート３２ａと水素透過性シート３０ａとは同一の厚さとしつつ、水素透過性シート３２ａの材料に水素透過性シート３０ａの材料よりも多くのシリカを混入することで、水素透過性シート３２ａの水素透過率を水素透過性シート３０ａの水素透過率よりも低くするように構成してもよい。
【００２３】
図４に示すように、水素格納部３０と３２には、Ａｍｍ３の（立法ミリメートル）の水素ガスを格納しているが、水素ガスは水素透過性シート３０ａ及び３２ａを透過し、徐々に排出される。水素格納部３０からは時間ｔ１において水素ガスは排出し尽くされるが、水素格納部３２からの水素ガスの排出は時間ｔ２の時点まで継続する。
【００２４】
図５に示すように、化粧用組成物２２に含有される水素ガスの濃度は、時間ｔ１まで増加し、ａｐｐｍ（ピーピーエム）となる。化粧用組成物２２の水素含有量がａｐｐｍとなるまでの間において、水素不透過性の材料で形成されている容器本体２０ａからも水素ガスが微量ではあるが抜けていき、化粧用組成物２２からも水素ガスは抜けていくのであるが、水素格納部３０及び３２から排出される水素ガスの量が抜けていく水素ガスの量よりも多いことにより、化粧用組成物２２に含有される水素ガスの濃度は時間ｔ１まで増加する。時間ｔ１以降は、水素格納部３２からのみ水素ガスが排出される。そして、化粧用組成物２２から抜けていく水素ガスの量と水素格納部３２から排出されて化粧用組成物２２に溶け込む水素ガスの量がほぼ等しいため、時間ｔ２まで水素ガスの濃度は維持される。
【００２５】
なお、化粧用組成物２２に溶存する水素ガスの濃度を長期間維持するだけであれば、例えば、容器２０が水素格納部３２だけを備え、水素透過性シート３２ａの水素透過率を非常に低くすることでも十分なのであるが、使用者が容器２０及びフェイスマスク１を使用する時期に合わせるために、化粧用組成物２２に溶存する水素ガスの濃度を早期に上昇させる必要がある。そして、化粧用組成物２２に溶存する水素ガスの量が所定の濃度に至った後は、その濃度を長期にわたって維持する必要がある。このため、容器２０は、相対的に水素透過率が高い水素格納部３０と、相対的に水素透過率が低い水素格納部３２の双方を備え、水素格納部３０は比較的早期に化粧用組成物２２の水素含有量を増加させるように機能し、水素格納部３２は、主に、化粧用組成物２２の水素含有量を維持するように機能するように構成したのである。
【００２６】
＜第二の実施形態＞
図６乃至図８を参照して、第二の実施形態を説明する。なお、第一の実施形態と共通する事項については、説明を省略する。図６に示すように、第二の実施形態の容器２０は、複数枚のフェイスマスク１を格納している。そして、容器本体２０ａには、開閉可能なファスナー２０ｃが形成されている。ファスナー２０ｃを閉じることによって、容器２０の内部を密封することができる。ファスナー２０ｃは、例えば、ジップロック（登録商標）と呼ばれるファスナーである。
【００２７】
図７に示すように、水素格納部３０にはＡｍｍ３の水素ガスが封入されており、水素格納部３２にはそれよりも多いＢｍｍ３の水素ガスが封入されている。このため、水素格納部３０に封入された水素ガスが排出され尽くしても、水素格納部３２から長期間にわたって水素ガスの排出が継続する。
【００２８】
図８に示すように、化粧用組成物２２に含有される水素ガスの濃度は、時間ｔ１まで増加する。時間ｔ１までの間においても、容器本体２０ａから水素ガスが微量ではあるが抜けていき、化粧用組成物２２からも水素ガスは抜けていくのであるが、水素格納部３０及び３２から排出される水素ガスの量が抜けていく水素ガスの量よりも多いので、化粧用組成物２２に含有される水素ガスの濃度は時間ｔ１まで増加する。時間ｔ１以降は、水素格納部３２からのみ水素ガスが排出される。そして、化粧用組成物２２から抜けていく水素ガスの量と水素格納部３２から排出されて化粧用組成物２２に溶け込む水素ガスの量がほぼ等しく、しかも、水素格納部３２に封入されていた水素ガスの量が水素格納部３０に封入されていた水素ガスの量よりも多いため、時間ｔ３まで水素含有量は維持される。
【００２９】
＜第三の実施形態＞
図９及び図１０を参照して、第三の実施形態を説明する。なお、第二の実施形態と共通する事項については、説明を省略する。図９に示すように、水素格納部３０Ａ及び３２Ａは、扁平に形成されており、図１０に示すように、フェイスマスク１の主面と水素格納部３０Ａ及び３２Ａの主面が対面するように配置されている。図１０において、水素格納部３０Ａ及び３２Ａは、複数のフェイスマスク１の間に配置されている。
【００３０】
これにより、水素ガスが、フェイスマスク１に含侵した化粧用組成物２２に溶け込み易くなる。
【００３１】
なお、本発明の化粧品用容器は、上記実施形態に限らず、本発明の要旨を逸脱しない範囲内において種々変更を加えることができる。
【符号の説明】
【００３２】
１    フェイスマスク
２    基材シート
２０  化粧品用容器
２２  化粧用組成物
３０，３０Ａ，３２，３２Ａ  水素格納部
３０ａ，３２ａ  水素透過性シート
【要約】
【課題】化粧用組成物に水素を溶存させ、かつ、水素を溶存させた状態を長期間維持することができる化粧品用容器を提供すること。
【解決手段】化粧用組成物２２を格納する化粧品用容器２０は、水素不透過材で形成された容器本体２０ａと、少なくとも一部が水素透過性シートで形成され、水素ガスが封入された複数の水素格納部３０及び３２を備え、水素透過性シートが水素ガスを透過する水素透過率は、複数の水素格納部３０及び３２において異なるように構成されており、複数の水素格納部３０及び３２の水素透過性シートが容器本体２０ａに格納された化粧用組成物２２と接触するように構成されている。
【選択図】図２【図１】
0006432006.tif 000002
【図２】
0006432006.tif 000003
【図３】
0006432006.tif 000004
【図４】
0006432006.tif 000005
【図５】
0006432006.tif 000006
【図６】
0006432006.tif 000007
【図７】
0006432006.tif 000008
【図８】
0006432006.tif 000009
【図９】
0006432006.tif 000010
【図１０】
0006432006.tif 000011